(57)【要約】【課題】複数のポスターの表示を容易に制御し得る自動販売機を提供する。【解決手段】複数のポスター１２、１３、１４を貼り付け得るベルト状のシート１と、シート１を所定の方向に走行可能に支持する回転ローラー２、３と、回転ローラー２、３を駆動するモータ５と、シート位置検知センサー１５、１６と、各ポスターの表示プログラムの記憶部３５とを備え、シート位置検知センサー１５、１６によりシート１の位置を検出してシート上のポスター１２、１３、１４を表示プログラムに従い移動させる。【選択図】  図１
2004318327.tif 000002
【特許請求の範囲】
【請求項１】
複数のポスターを貼り付け得るベルト状のシートと、シートを所定の方向に走行可能に支持する回転ローラーと、回転ローラーを駆動するモータと、シート位置検知センサーと、各ポスターの表示プログラムの記憶部とを備え、シート位置検知センサーによりシートの位置を検出してシート上のポスターを表示プログラムに従い移動させることを特徴とする自動販売機。
【請求項２】
ベルト状のシートをエンドレス式に形成したことを特徴とする請求項１記載の自動販売機。
【請求項３】
ベルト状のシートを巻き取り式に形成したことを特徴とする請求項１記載の自動販売機。
【請求項４】
表示プログラムが、各ポスターの表示時間、表示順序、表示期間を含むことを特徴とする請求項１〜３のいずれか１つに記載の自動販売機。
【請求項５】
シート位置検知センサーとして、シートの原点位置を検出するシート原点位置検知センサー及び各ポスター停止位置を検出するポスター停止検知センサーを設けたことを特徴とする請求項１〜４のいずれか１つに記載の自動販売機。
【請求項６】
ベルト状のシートは上下方向に走行することを特徴とする請求項１〜５のいずれか１つに記載の自動販売機。
【請求項７】
ベルト状のシートは横方向に走行することを特徴とする請求項１〜５のいずれか１つに記載の自動販売機。
【請求項８】
ポスターの表示プログラムの時間要素が自動販売機の内蔵タイマーを使用して設定されることを特徴とする請求項１〜７のいずれか１つに記載の自動販売機。
【請求項９】
ポスターの表示プログラムが自動販売機に付設されたリモートコントローラにより設定可能であることを特徴とする請求項１〜８のいずれか１つに記載の自動販売機。
【請求項１０】
ポスターの表示プログラムが自動販売機に対するハンディターミナルにより設定可能であることを特徴とする請求項１〜８のいずれか１つに記載の自動販売機。
【請求項１１】
ポスターの表示プログラムが自動販売機のネットワークを介して設定可能であることを特徴とする請求項１〜８のいずれか１つに記載の自動販売機。
【発明の詳細な説明】
【０００１】
【発明の属する技術分野】
本発明は、複数の宣伝用ポスターを表示することができる自動販売機に関する。
【０００２】
【従来の技術】
商品宣伝のために自動販売機の外扉の一画に設けたディスプレイ室の上下に回転ローラを設け、この回転ローラにエンドレスベルト状の透光性フィルムで形成した広告パネルを張架し、広告パネルに印刷した絵文字を表示させることは知られている（例えば、特許文献１参照）。この自動販売機のディスプレイ装置によって種々の絵文字を順次掲示し、商品の宣伝を行うことができる。また、同様にエンドレス状に形成した広告表示シートに長手方向に文字、図形等の複数の広告を並べて印刷したものを自動販売機に設け、人の接近を感知したときこの表示シートをローラーを介して間欠的に、又は連続的に回転移動させ、広告を表示することも提案されている（例えば、特許文献２参照）。
【０００３】
【特許文献１】
特開平７−２１９４６１号公報（第２頁、図１）
【特許文献２】
特開平１０−１１６０４１号公報（第２〜３頁、図３）
【０００４】
【発明が解決しようとする課題】
上述の特許文献１に記載された自動販売機によれば、広告パネルに印刷された複数の絵文字を駆動ハンドルの操作で短時間に変更することができるが、複数の広告の表示を自動的に制御することはできず、広告表示を変えようとすると、自動販売機設置場所まで出向いて操作しなければならず、まして広告毎に表示時間、表示順序、表示中止を行うことは不可能である。また特許文献２に記載された自動販売機にあっても、人の接近を感知して広告表示シートを駆動モータにより駆動することはできるが、表示時間、表示順序、表示中止等については同様に不可能で、予め決めた駆動プログラムに従って動かし得るだけである。
【０００５】
現在の実用化されている標準的な自動販売機においては、例えば飲料メーカーが製作したポスターを展示するスペースが設けられ、通常はそのスペースに１枚のポスターが貼り付けられている。しかしながら、各飲料メーカーは商品ブランド別に数種類のポスターを所有しており、また数社の飲料メーカーが１つの自動販売機に寄り合うこともあり、それらのポスター総てに対応するスペースを自動販売機に確保することはできない。また、ポスターには期限付きキャンペーンのものや、ポスターに使用されているタレントとの契約期間の問題があるため、ある期日で一斉に該当ポスターを剥がす作業が発生するが、このような問題に簡単かつ確実に対応する自動販売機は実用化されておらず、その構想さえも存在しなかった。
【０００６】
本発明は上述のような問題に鑑み、複数のポスターの表示を容易に制御し得る自動販売機を提供することを課題とするものである。
【０００７】
【課題を解決するための手段】
上述の課題を解決するため、本発明においては、複数のポスターを貼り付け得るベルト状のシートと、シートを所定の方向に走行可能に支持する回転ローラーと、回転ローラーを駆動するモータと、シート位置検知センサーと、各ポスターの表示プログラムの記憶部とを備え、シート位置検知センサーによりシートの位置を検出してポスターを表示プログラムに従い移動させる。
【０００８】
ベルト状のシートはエンドレス式又は巻き取り式に形成し、また上下方向又は横方向に走行させることができ、自動販売機のディスプレイ部のデザインに応じて適切な形式を使用する。
【０００９】
ポスターの表示プログラムとしては、時間帯別で表示するポスター、各ポスタの切替間隔、期限切れポスターの表示禁止等の要素があり、それらの必要な要素を適宜組み込んで作成することができる。
【００１０】
シート位置検知センサーは、例えばシート上に設けたマークを検出し得るように設ければよいが、シートの１つの原点を検出するシート原点検知センサーと、各ポスターの停止位置を検出するポスター停止位置検知センサーとにより構成すると、停止位置の精度を高めることができる。
【００１１】
ポスターの表示プログラムの時間要素は自動販売機の内蔵タイマーを使用して設定することができる。もちろん他の時計機構を別設してもよい。
【００１２】
ポスターの表示プログラムは、自動販売機に付設のリモートコントローラによって、或いはルートマンが所持するハンディターミナルによって設定することができる。また自動販売機がネットワークに組み込まれている場合には通信回線を利用して設定することも可能である。
【００１３】
【発明の実施の形態】
次に本発明の実施の形態を、図面に示す実施例について説明する。
【００１４】
図１は本発明の実施例の、ａは斜視図、ｂは側面図、図２は図１に示すディスプレイ部を組み込んだ自動販売機の正面図である。１はベルト状に形成されたエンドレス式のシートで、その上部、下部に設けた上ローラー２、下ローラー３間に張架され、上ローラー２は図示されていない自動販売機の例えば外扉内に回転可能に支持され、下ローラー３は上ローラー２の下方にその両端でばね４を介して外扉内に回転可能に支持されている。シート１は上ローラー２に結合された駆動用モータ５により上下方向に走行し得るようになっており、ばね４により強く張られて皺が生じないようになっている。シート１の一方の側縁６上に１つの原点位置が設定され、そこにマーク７が設けられ、他方の側縁８上にはポスターの貼り付け位置に応じてそれぞれ停止位置が設定され、そこにそれぞれマーク９、１０、１１が設けられている。図の例は３個のポスター貼り付け位置を有するもので、ポスター１２、１３、１４が貼り付けられる。１５はポスターの原点位置即ちマーク７を検出するためのシート原点位置検知センサー、１６はポスターの停止位置即ちマーク９、１０、１１を検出するためのポスター停止位置検知センサーであり、これらセンサーは例えば透過型フォトセンサーで構成することができる。これらのセンサーにマイクロスイッチのようなものを使用してもよい。
【００１５】
以上説明したディスプレイ部１７は、図２に示す自動販売機の外扉２１の電照部２２の下方に設けたディスプレイ窓２３に各ポスターが臨むように外扉２１内に取り付けられる。ディスプレイ部１７はその近傍に配置した蛍光灯１８により照示される。なおディスプレイ部専用の照明を設けず、電照部の照明を利用して照示することもできる。
【００１６】
図３は本発明のポスターの表示制御を行うための制御系統の概略図で、図１と同等部分には同符号を付してある。３１は自動販売機の主制御部、３２はその内蔵タイマーで、経過時間を測るためクロック信号を供給する。３３は駆動モータ制御部で、基本プログラム部３４と記憶部としてのＲＡＭ３５とを有し、シート原点位置検知センサー１５、ポスター停止位置検知センサー１６の出力端が接続されている。３６は自動販売機に付設されたリモートコントローラで、主制御部３１と接続され、種々のデータのインプット、アウトプットを行うものである。３７はモデムで、自動販売機がネットワークに組み込まれた場合には通信回線３８と接続するためのものである。基本プログラム部３４にはポスターの掲示に関連する要素、即ちポスターの切替、時間帯又は季節による切替時間の変更、表示ポスターの変更といった要素が予め組み込まれている。ＲＡＭ３５は基本プログラムに基づき各ポスターを動かすためのデータを記憶させるもので、例えば上述の掲示に関連する要素について言えば、切替時間、切換えるべき時間帯又は季節、表示期限に対する具体的なデータが記憶される。これは自動販売機の設定用リモートコントローラ３６で入力することができ、ポスターをセットするとき、或いはポスターをセットした後でも設定ないし変更可能である。この設定はまたルートマンが所持するハンディターミナルを使用して行うこともできる。或いはインターネットのような通信回線３８により自動販売機管理センターより遠隔操作で設定することもできる。この場合には自動販売機管理センターより通信回線３８を介してデータが伝送され、モデム３７を介して駆動モータ制御部３３のＲＡＭ３５に記憶される。なお、駆動モータ制御部３３は図の例のように自動販売機の主制御部３１内に一体化することができるが、或いは主制御部３１と別設することも可能である。
【００１７】
次に本発明のディスプレイ部の動作について説明する。
【００１８】
今ポスター表示プログラムとして、３つのポスター１２、１３、１４がそれぞれ１０秒間提示された後切り換えられ、またポスター１４が１週間の提示期限を持つ、即ち１週間以上掲示してはならないように組まれているものとする。先ずポスター１２、１３、１４がシート１上の図の位置に貼り付けられる。駆動モータ５の回転方向は図１ｂにおいて時計方向を正、反時計方向を逆とする。今駆動モータ５の電源をＯＮにすると、駆動モータ５は正回転し、シート１は反時計方向に走行する。その際シート原点位置検知センサー１５により原点位置マーク７が検出され、シート１の位置が判明する。更にシート１は走行し、やがてポスター１２の停止位置マーク９がポスター停止位置検知センサー１６により検出され、その信号は駆動モータ制御部３３に送られ、駆動モータ制御部３３は基本プログラム部３４に組み込まれている表示プログラムと照合して駆動モータ５を停止し、タイマー３２から得られる時間信号に基づき１０秒間シート１を停止させ、ポスター１２をディスプレイ窓２３に掲示する。所定の１０秒間が経過すると、駆動モータ制御部３３は表示プログラムに従い、シート１を再び走行させ、次の停止位置マーク１０がポスター停止位置検知センサー１６により検出されるとシート１を停止させ、ポスター１３をディスプレイ窓２３に掲示する。所定の１０秒間が経過すると、同様の動作によりポスター１４がディスプレイ窓２３に掲示される。このような動作が連続して行われるが、始動から１週間経過したとき、表示プログラムに従い、ポスター１４の掲示期限は切れることになるから掲示することは禁止され、その後はポスター停止位置マーク９と１０の間でのみ駆動モータ５の正転、逆転を繰り返し、ポスター１２と１３のみの掲示を行う。
【００１９】
上述の例では、シートを上下方向に走行させるものを示したが、両ローラーを垂直に支持し、シートを横方向に走行させるようにしてもよく、自動販売機のディスプレイ部のデザインに応じて適当なものを選択することができる。また、上述の例ではシートはエンドレスに形成したが、巻き取り式に構成することも可能である。
【００２０】
【発明の効果】
本発明によれば、複数のポスターをシート上に貼り付けることができるから、より多くの商品のプロモーション効果があり、単にポスターを利用するだけであるから商品に関連する特別のコンテンツを作成する必要がなく、またポスターに動きを与えることによりアイキャッチ効果があり、時間帯別で表示するポスターの変更、ポスターの切替間隔の変更、期限切れポスターの表示禁止の設定が簡単にできるから、商品の売上状況、設置場所の特性に適したポスター表示を選択して、商品の売上増加に寄与することができる。
【図面の簡単な説明】
【図１】本発明のディスプレイ部の実施例の、ａは斜視図、ｂは側面図である。
【図２】本発明の実施例の正面図である。
【図３】本発明の制御系統の概略図である。
【符号の説明】
１  シート
２  上ローラー
３  下ローラー
４  ばね
５  駆動モータ
６  シートの側縁
７  シート原点位置マーク
８  シートの側縁
９、１０、１１  ポスター停止位置マーク
１２、１３、１４  ポスター
１５  シート原点位置検知センサー
１６  ポスター停止位置検知センサー
１７  ディスプレイ部
１８  蛍光灯
２１  自動販売機の外扉
２２  電照部
２３  ディスプレイ窓
３１  自動販売機主制御部
３２  タイマー
３３  駆動モータ制御部
３４  基本プログラム部
３５  ＲＡＭ
３６  リモートコントローラ
３７  モデム
３８  通信回線
【図１】
2004318327.tif 000003
【図２】
2004318327.tif 000004
【図３】
2004318327.tif 000005